(57)【要約】【課題】ユーザによって設定された機器の設定内容を削除するための情報を常に同じ表示形態で表示する場合と比べて、ユーザにおいて、ユーザによって機器の設定が行われているか否かが分かり易くする。【解決手段】記憶部１８には、画像形成装置１０の初期設定内容を示す初期設定情報が記憶されている。ユーザによって画像形成装置１０の設定が行われた場合、記憶部１８には、ユーザによって設定された内容を示すユーザ設定情報が記憶される。ユーザ設定情報が記憶部１８に記憶されている場合、表示制御部３４は、ユーザ設定情報を削除して画像形成装置１０の設定内容を初期設定内容に戻すための指示をユーザが与えるための指示情報をＵＩ部１６に表示させる。ユーザ設定情報が記憶部１８に記憶されていない場合、表示制御部３４は、指示情報をＵＩ部１６に表示させない。【選択図】図１
2018073222.tif 000002
【特許請求の範囲】
【請求項１】
機器の初期設定内容を示す初期設定情報を記憶する初期設定情報記憶手段と、
ユーザによって前記機器の設定が行われた場合、前記ユーザによって設定されて前記機器の設定内容として利用されるユーザ設定内容を示すユーザ設定情報を記憶するユーザ設定情報記憶手段と、
前記機器の設定内容の編集指示がユーザによって与えられた場合において、前記ユーザ設定情報記憶手段に前記ユーザ設定情報が記憶されている場合、前記ユーザ設定情報を削除して前記機器の設定内容を前記初期設定内容に戻すための指示をユーザが与えるための指示情報を表示手段に表示させ、前記ユーザ設定情報記憶手段に前記ユーザ設定情報が記憶されていない場合、前記指示情報を前記表示手段に表示させない制御手段と、
を有する情報処理装置。
【請求項２】
ユーザを識別する識別手段を更に有し、
前記ユーザによって前記機器の設定が行われた場合、前記ユーザ設定情報記憶手段は、前記ユーザ設定情報として、個々のユーザ毎に設定されたユーザ設定内容を示す個人設定情報と各ユーザで共通のユーザ設定内容を示す共通設定情報の中の少なくとも一方の情報を記憶し、
前記制御手段は、前記識別手段によって識別されたユーザに対応する前記個人設定情報と前記共通設定情報の中の少なくとも一方の情報が、前記ユーザ設定情報記憶手段に記憶されている場合、前記指示情報を前記表示手段に表示させ、前記識別手段によって識別されたユーザに対応する前記個人設定情報と前記共通設定情報のいずれも前記ユーザ設定情報記憶手段に記憶されていない場合、前記指示情報を前記表示手段に表示させない、
ことを特徴とする請求項１に記載の情報処理装置。
【請求項３】
前記制御手段は、前記個人設定情報の削除指示をユーザが与えるための前記指示情報と、前記共通設定情報の削除指示をユーザが与えるための前記指示情報と、を区別して前記表示手段に表示させる、
ことを特徴とする請求項２に記載の情報処理装置。
【請求項４】
前記制御手段は、前記ユーザ設定情報記憶手段に前記ユーザ設定情報が記憶されている場合において、前記識別手段によって識別されたユーザが前記ユーザ設定情報に対する設定権限を有している場合、前記指示情報を前記表示手段に表示させ、前記識別手段によって識別されたユーザが前記ユーザ設定情報に対する設定権限を有していない場合、前記指示情報を前記表示手段に表示させない、
ことを特徴とする請求項２又は請求項３に記載の情報処理装置。
【請求項５】
機器の初期設定内容を示す初期設定情報を記憶する初期設定情報記憶手段と、
ユーザによって前記機器の設定が行われた場合、前記ユーザによって設定されて前記機器の設定内容として利用されるユーザ設定内容を示すユーザ設定情報を記憶するユーザ設定情報記憶手段と、
前記機器の設定内容の編集指示がユーザによって与えられた場合、前記ユーザ設定情報を削除して前記機器の設定内容を前記初期設定内容に戻すための指示をユーザが与えるための指示情報を表示手段に表示させる制御手段と、
を有し、
前記制御手段は、前記ユーザ設定情報記憶手段に前記ユーザ設定情報が記憶されている場合、前記指示情報に対するユーザの操作を有効な状態にして前記指示情報を前記表示手段に表示させ、前記ユーザ設定情報記憶手段に前記ユーザ設定情報が記憶されていない場合、前記指示情報に対するユーザの操作を無効な状態にして前記指示情報を前記表示手段に表示させる、
情報処理装置。
【請求項６】
コンピュータを、
機器の初期設定内容を示す初期設定情報を初期設定情報記憶手段に記憶させる第１記憶制御手段、
ユーザによって前記機器の設定が行われた場合、前記ユーザによって設定されて前記機器の設定内容として利用されるユーザ設定内容を示すユーザ設定情報をユーザ設定情報記憶手段に記憶させる第２記憶制御手段、
前記機器の設定内容の編集指示がユーザによって与えられた場合において、前記ユーザ設定情報記憶手段に前記ユーザ設定情報が記憶されている場合、前記ユーザ設定情報を削除して前記機器の設定内容を前記初期設定内容に戻すための指示をユーザが与えるための指示情報を表示手段に表示させ、前記ユーザ設定情報記憶手段に前記ユーザ設定情報が記憶されていない場合、前記指示情報を前記表示手段に表示させない表示制御手段、
として機能させるプログラム。
【発明の詳細な説明】
【技術分野】
【０００１】
本発明は、情報処理装置及びプログラムに関する。
【背景技術】
【０００２】
画像形成装置等の機器は、一般的に、ユーザが機器の設定を行う機能を備えている。例えば、ユーザによって、機器の設定内容が、その機器に予め設定されている初期設定内容（例えば出荷時の設定内容）から別の設定内容に変更される場合がある。そのような機器は、通常、変更後の設定内容を初期設定内容に戻す機能を備えている。一般的には、その戻す機能の実行をユーザが指示するためのメニュー等が表示され、その戻す機能の実行がユーザによって指示されると、ユーザによる設定内容が削除されて、機器の設定内容が初期設定内容に戻る。
【０００３】
特許文献１には、初期化キーがユーザによって操作された場合に、初期化を許可されたすべての設定項目の内容を初期化する装置が開示されている。
【先行技術文献】
【特許文献】
【０００４】
【特許文献１】特開２００６−１２３０７号公報
【発明の概要】
【発明が解決しようとする課題】
【０００５】
ところで、ユーザによって機器の設定内容が変更されているか否かにかかわらず、上記の戻す機能の実行をユーザが指示するためのメニュー等が表示される場合、その表示内容からでは、設定内容が変更されているか否かが分からない。また、実際には設定内容が変更されていない場合であっても、ユーザが、その戻す機能の実行を指示してしまうことがあり、この場合、その指示操作は無駄となる。
【０００６】
本発明の目的は、ユーザによって設定された機器の設定内容を削除するための情報を常に同じ表示形態で表示する場合と比べて、ユーザにおいて、ユーザによって機器の設定が行われているか否かが分かり易くすることにある。
【課題を解決するための手段】
【０００７】
請求項１に係る発明は、機器の初期設定内容を示す初期設定情報を記憶する初期設定情報記憶手段と、ユーザによって前記機器の設定が行われた場合、前記ユーザによって設定されて前記機器の設定内容として利用されるユーザ設定内容を示すユーザ設定情報を記憶するユーザ設定情報記憶手段と、前記機器の設定内容の編集指示がユーザによって与えられた場合において、前記ユーザ設定情報記憶手段に前記ユーザ設定情報が記憶されている場合、前記ユーザ設定情報を削除して前記機器の設定内容を前記初期設定内容に戻すための指示をユーザが与えるための指示情報を表示手段に表示させ、前記ユーザ設定情報記憶手段に前記ユーザ設定情報が記憶されていない場合、前記指示情報を前記表示手段に表示させない制御手段と、を有する情報処理装置である。
【０００８】
請求項２に係る発明は、ユーザを識別する識別手段を更に有し、前記ユーザによって前記機器の設定が行われた場合、前記ユーザ設定情報記憶手段は、前記ユーザ設定情報として、個々のユーザ毎に設定されたユーザ設定内容を示す個人設定情報と各ユーザで共通のユーザ設定内容を示す共通設定情報の中の少なくとも一方の情報を記憶し、前記制御手段は、前記識別手段によって識別されたユーザに対応する前記個人設定情報と前記共通設定情報の中の少なくとも一方の情報が、前記ユーザ設定情報記憶手段に記憶されている場合、前記指示情報を前記表示手段に表示させ、前記識別手段によって識別されたユーザに対応する前記個人設定情報と前記共通設定情報のいずれも前記ユーザ設定情報記憶手段に記憶されていない場合、前記指示情報を前記表示手段に表示させない、ことを特徴とする請求項１に記載の情報処理装置である。
【０００９】
請求項３に係る発明は、前記制御手段は、前記個人設定情報の削除指示をユーザが与えるための前記指示情報と、前記共通設定情報の削除指示をユーザが与えるための前記指示情報と、を区別して前記表示手段に表示させる、ことを特徴とする請求項２に記載の情報処理装置である。
【００１０】
請求項４に係る発明は、前記制御手段は、前記ユーザ設定情報記憶手段に前記ユーザ設定情報が記憶されている場合において、前記識別手段によって識別されたユーザが前記ユーザ設定情報に対する設定権限を有している場合、前記指示情報を前記表示手段に表示させ、前記識別手段によって識別されたユーザが前記ユーザ設定情報に対する設定権限を有していない場合、前記指示情報を前記表示手段に表示させない、ことを特徴とする請求項２又は請求項３に記載の情報処理装置である。
【００１１】
請求項５に係る発明は、機器の初期設定内容を示す初期設定情報を記憶する初期設定情報記憶手段と、ユーザによって前記機器の設定が行われた場合、前記ユーザによって設定されて前記機器の設定内容として利用されるユーザ設定内容を示すユーザ設定情報を記憶するユーザ設定情報記憶手段と、前記機器の設定内容の編集指示がユーザによって与えられた場合、前記ユーザ設定情報を削除して前記機器の設定内容を前記初期設定内容に戻すための指示をユーザが与えるための指示情報を表示手段に表示させる制御手段と、を有し、前記制御手段は、前記ユーザ設定情報記憶手段に前記ユーザ設定情報が記憶されている場合、前記指示情報に対するユーザの操作を有効な状態にして前記指示情報を前記表示手段に表示させ、前記ユーザ設定情報記憶手段に前記ユーザ設定情報が記憶されていない場合、前記指示情報に対するユーザの操作を無効な状態にして前記指示情報を前記表示手段に表示させる、情報処理装置である。
【００１２】
請求項６に係る発明は、コンピュータを、機器の初期設定内容を示す初期設定情報を初期設定情報記憶手段に記憶させる第１記憶制御手段、ユーザによって前記機器の設定が行われた場合、前記ユーザによって設定されて前記機器の設定内容として利用されるユーザ設定内容を示すユーザ設定情報をユーザ設定情報記憶手段に記憶させる第２記憶制御手段、前記機器の設定内容の編集指示がユーザによって与えられた場合において、前記ユーザ設定情報記憶手段に前記ユーザ設定情報が記憶されている場合、前記ユーザ設定情報を削除して前記機器の設定内容を前記初期設定内容に戻すための指示をユーザが与えるための指示情報を表示手段に表示させ、前記ユーザ設定情報記憶手段に前記ユーザ設定情報が記憶されていない場合、前記指示情報を前記表示手段に表示させない表示制御手段、として機能させるプログラムである。
【発明の効果】
【００１３】
請求項１，５，６に係る発明によると、ユーザによって設定された設定内容を削除するための情報を常に同じ表示形態で表示する場合と比べて、ユーザにおいて、ユーザによって機器の設定が行われているか否かが分かり易くなる。
【００１４】
請求項２に係る発明によると、ユーザにおいて、少なくとも個人設定情報又は共通設定情報の中のいずれかが設定されているか否かが分かり易くなる。
【００１５】
請求項３に係る発明によると、個人設定情報と共通設定情報とを個別的に削除することが可能となる。
【００１６】
請求項４に係る発明によると、ユーザによって設定された設定内容を削除するための情報を常に表示する場合と比べて、ユーザにおいて、ユーザ設定情報の削除が可能か否かが分かり易くなる。
【図面の簡単な説明】
【００１７】
【図１】本発明の第１実施形態に係る画像形成装置を示すブロック図である。
【図２】各設定内容の関係を示す図である。
【図３】メイン画面の一例を示す図である。
【図４】コピー設定画面の一例を示す図である。
【図５】メニュー群の表示例を示す図である。
【図６】メニュー群の表示例を示す図である。
【図７】メニュー群の表示例を示す図である。
【図８】メニュー群の表示例を示す図である。
【図９】設定削除項目の表示処理の一例を示すフローチャートである。
【図１０】設定削除項目の表示処理の別の例を示すフローチャートである。
【図１１】管理テーブルの一例を示す図である。
【図１２】削除処理の一例を示すフローチャートである。
【図１３】共通設定削除処理の一例を示すフローチャートである。
【図１４】確認画面の一例を示す図である。
【図１５】個人設定削除処理の一例を示すフローチャートである。
【図１６】共通個人設定削除処理の一例を示すフローチャートである。
【図１７】確認画面の一例を示す図である。
【図１８】確認画面の一例を示す図である。
【発明を実施するための形態】
【００１８】
［第１実施形態］
図１を参照して、本発明の第１実施形態に係る画像形成装置について説明する。図１には、第１実施形態に係る画像形成装置の一例が示されている。
【００１９】
機器（情報処理装置）としての画像形成装置１０は、画像形成機能を備えた装置である。画像形成装置１０は、例えば、コピー機能、スキャン機能、プリント機能及びファクシミリ機能の中の少なくとも１つの機能を備えている。
【００２０】
通信部１２は通信インターフェースであり、他の装置にデータを送信する機能、及び、他の装置からデータを受信する機能を備えている。通信部１２は、例えば、Ｗｉ−Ｆｉ（登録商標）通信等の無線通信機能や有線通信機能を備えており、インターネットやＬＡＮ（Local Area Network）等のネットワークを介してデータを送受信する機能を備えている。
【００２１】
画像形成部１４は画像形成処理を行う。画像形成部１４は、例えば、コピー機能、スキャン機能、プリント機能及びファクシミリ機能の中の少なくとも１つの機能を実行する。コピー機能が実行されることにより、原稿が読み取られて用紙等の記録媒体上に印刷される。スキャン機能が実行されることにより、原稿が読み取られてスキャンデータ（画像データ）が生成される。プリント機能が実行されることにより、画像が記録媒体上に印刷される。ファクシミリ機能が実行されることにより、画像データがファクシミリ送信又はファクシミリ受信される。また、複数の機能を組み合わせた複合機能が実行されてもよい。例えば、スキャン機能と送信機能（転送機能）とを組み合わせたスキャン転送機能が実行されてもよい。このスキャン転送機能が実行されることにより、原稿が読み取られてスキャンデータ（画像データ）が生成され、そのスキャンデータが送信先（例えば端末装置やサーバ等の外部装置）に送信される。もちろん、この組み合わせ機能は一例に過ぎず、別の組み合わせ機能が実行されてもよい。
【００２２】
ＵＩ部１６はユーザインターフェース部であり、表示部と操作部を含む。表示部は、例えば液晶ディスプレイ等の表示装置である。操作部は、例えばタッチパネルやキーボード等の入力装置である。もちろん、ＵＩ部１６は、表示部と操作部の両方の機能を兼ね備えたユーザインターフェース（例えば、タッチパネルとしてのディスプレイや、電子的にキーボード等を表示するディスプレイ等）であってもよい。
【００２３】
記憶部１８はハードディスクやメモリ等の記憶装置であり、例えば、画像形成処理の実行命令を示す実行命令情報（例えば印刷ジョブ情報等）、印刷の対象となる画像データ、スキャン機能を実行することにより生成されたスキャンデータ、各種の制御データ、各種のプログラム、各種のデータ等を記憶する。もちろん、それらは別々の記憶装置に記憶されていてもよいし、同一の記憶装置に記憶されていてもよい。また、記憶部１８は、初期設定記憶部２０と、共通設定記憶部２２と、個人設定記憶部２４と、を含む。
【００２４】
初期設定記憶部２０は、画像形成装置１０の初期設定内容を示す初期設定情報を予め記憶する。初期設定内容は、例えば、画像形成装置１０が製造メーカから出荷されたときの設定内容（出荷時設定内容）であり、画像形成装置１０に予め設定されている設定内容である。一般的に、初期設定内容は、製造メーカが推奨する設定内容、ユーザによってより多く利用されるであろうと推測される設定内容、等である。もちろん、初期設定内容は、これら以外の設定内容であってもよい。後述の共通設定内容と個人設定内容が画像形成装置１０に設定されていない場合、初期設定内容が利用される。例えば、ＵＩ部１６に画像形成機能等の設定画面が表示される場合に、初期設定内容（初期設定値）や、その初期設定内容が反映された情報が、その設定画面に表示される。
【００２５】
画像形成装置１０の設定内容は、画像形成装置１０の機能に関する設定内容であり、例えば、画像形成機能に関する設定内容や、通信機能に関する設定内容や、表示機能に関する設定内容、電源に関する設定内容、画像形成装置１０の操作に関する設定内容、その他の一般的な機能に関する設定内容、等である。例えば、コピー機能に関する設定内容は、カラーモードの設定内容（カラー出力又は白黒出力）、片面コピー又は両面コピー、記録媒体の出力先のトレイの指定、等である。これらは、コピー機能の初期設定内容として画像形成装置１０に予め設定されており、その初期設定内容を示す初期設定情報が初期設定記憶部２０に予め記憶されている。スキャン機能、プリント機能及びファクシミリ機能等についても同様であり、それらの機能の初期設定内容が画像形成装置１０に予め設定されており、各機能の初期設定内容を示す初期設定情報が初期設定記憶部２０に予め記憶されている。
【００２６】
画像形成装置１０の設定内容は、ユーザや管理者等による変更が許可されており、画像形成装置１０の利用環境等に応じて、ユーザや管理者等によって画像形成装置１０の設定内容が変更されることが想定される。もちろん、ユーザや管理者等による変更が禁止された設定内容が画像形成装置１０に設定されていてもよいし、管理権限を有する管理者による変更が許可され、管理権限を有していないユーザによる変更が禁止された設定内容が、画像形成装置１０に設定されていてもよい。
【００２７】
例えば、初期設定ではカラーモードとしてカラー印刷が設定されていたが、そのカラーモードがユーザによって白黒印刷に設定される場合がある。また、ＵＩ部１６に表示される画面上における各項目（例えば各設定項目）の表示順が、ユーザによって設定される場合がある。例えば、設定項目としてのカラーモードやトレイ指定が、ユーザによって頻繁に指定される場合、それらの項目の表示順位が、ユーザによってアクセスし易い表示順位（例えば上位）に変更されることが想定される。また、初期設定ではステープル機能等の後処理機能の表示順位が下位の場合であっても、ユーザが後処理機能を頻繁に利用する場合には、後処理機能の設定項目の表示順位が、上位に変更されることが想定される。
【００２８】
共通設定記憶部２２は、画像形成装置１０の共通設定内容を示す共通設定情報を、ユーザ設定内容を示すユーザ設定情報の一例として記憶する。例えば、ユーザによって共通設定内容が画像形成装置１０に設定された場合、共通設定記憶部２２は、その共通設定内容を示す共通設定情報を記憶する。共通設定内容は、各ユーザで共通の設定内容（各ユーザで共通して利用される設定内容）であり、例えば、ユーザが認証（識別）されずに画像形成装置１０を利用する場合に利用される設定内容である。共通設定内容が画像形成装置１０に設定されており、後述の個人設定内容が画像形成装置１０に設定されていない場合、共通設定内容が利用される。例えば、ＵＩ部１６に画像形成機能等の設定画面が表示される場合に、共通設定内容（共通設定値）や、その共通設定内容が反映された情報が、その設定画面に表示される。
【００２９】
個人設定記憶部２４は、画像形成装置１０の個人設定内容を示す個人設定情報を、ユーザ設定内容を示すユーザ設定情報の一例として記憶する。例えば、ユーザによって個人設定内容が画像形成装置１０に設定された場合、個人設定記憶部２４は、その個人設定内容を示す個人設定情報を記憶する。個人設定内容は、個々のユーザ毎に設定される設定内容であり、例えば、ユーザが認証されて画像形成装置１０を利用する場合に利用される設定内容である。例えば、ユーザ毎に、ユーザを識別するためのユーザ識別情報（例えばユーザＩＤや氏名等）と、そのユーザによって設定された個人設定内容を示す個人設定情報（そのユーザ用の個人設定内容を示す個人設定情報）と、が対応付けられて個人設定記憶部２４に記憶される。ユーザが認証（識別）された場合において、そのユーザの個人設定内容が画像形成装置１０に設定されている場合、その個人設定内容が利用される。例えば、ＵＩ部１６に画像形成機能等の設定画面が表示される場合に、個人設定内容（個人設定値）や、その個人設定内容が反映された情報が、その設定画面に表示される。
【００３０】
制御部２６は、画像形成装置１０の各部の動作を制御する。また、制御部２６は、認証部２８と、設定部３０と、判定部３２と、表示制御部３４と、削除処理部３６と、を含む。
【００３１】
認証部２８は、識別手段の一例に相当し、画像形成装置１０を利用するユーザを認証（識別）する機能を備えている。例えば、記憶部１８には、ユーザ毎の認証情報が記憶されている。認証情報は、例えば、ユーザを識別するためのユーザ識別情報（例えばユーザＩＤや氏名）とパスワードを含む情報である。認証部２８は、ユーザによって入力された認証情報と、記憶部１８に記憶されている認証情報と、を照合することにより、ユーザを認証（識別）する。例えば、ユーザによって入力された認証情報と記憶部１８に記憶されている認証情報とが一致する場合や、ユーザによって入力された認証情報に対応する（関連付けられた）認証情報が記憶部１８に記憶されている場合等には、認証が成功する。認証情報は、例えばＵＩ部１６を介して入力されてもよいし、ＩＣカード等の記録媒体を用いて入力されてもよい。もちろん、認証部２８は、生体認証技術（例えば、指紋、顔、血管、虹彩、網膜、音声等を用いた認証技術）を用いてユーザを認証してもよい。
【００３２】
例えば、ユーザがＵＩ部１６を用いてログイン操作を行うと、認証部２８による認証が行われる。その認証が成功した場合、画像形成装置１０へのログインが許可され、その認証が失敗した場合、画像形成装置１０へのログインが禁止される。ログインが許可されたユーザは、その認証によって許可された権限の範囲内で、画像形成装置１０の利用が許可される。ログインが許可されなかったユーザは、例えばゲストユーザとして扱われ、そのゲストユーザが有する権限の範囲内で、画像形成装置１０の利用が許可される。
【００３３】
ログインが許可された場合において、そのユーザの個人設定内容が画像形成装置１０に設定されている場合、つまり、その個人設定内容を示す個人設定情報が個人設定記憶部２４に記憶されている場合、制御部２６は、その個人設定内容が反映された画面（例えば設定画面等）をＵＩ部１６に表示させる。そのユーザの個人設定内容が画像形成装置１０に設定されていない場合において、共通設定内容が画像形成装置１０に設定されている場合、つまり、共通設定内容情報が共通設定記憶部２２に記憶されている場合、制御部２６は、その共通設定内容が反映された画面をＵＩ部１６に表示させる。ログインが失敗した場合において、共通設定内容が画像形成装置１０に設定されている場合、制御部２６は、その共通設定内容が反映された画面をＵＩ部１６に表示させる。ログインが失敗し、かつ、共通設定内容が画像形成装置１０に設定されていない場合、制御部２６は、初期設定内容が反映された画面をＵＩ部１６に表示させる。個人設定内容と共通設定内容の両方が画像形成装置１０に設定されていない場合には、初期設定内容が利用される。
【００３４】
設定部３０は、ユーザによる設定操作を受けて、共通設定内容や個人設定内容を画像形成装置１０に設定する機能を備えている。具体的には、ユーザがＵＩ部１６を用いて画像形成装置１０の設定を行った場合、つまり、ユーザが画像形成装置１０の設定内容を変更した場合、設定部３０は、ユーザによって設定された設定内容（ユーザ設定内容）を示すユーザ設定情報を記憶部１８に記憶させる。例えば、ユーザが認証されていない状態で（ユーザがログインしていない状態で）、ユーザによって画像形成装置１０の設定が行われた場合、設定部３０は、その設定内容を共通設定内容として扱い、その共通設定内容を示す共通設定情報を共通設定記憶部２２に記憶させる。もちろん、共通設定内容は、設定権限を有する管理者によって設定され、設定権限を有していないユーザによる設定は禁止されてもよい。また、ユーザが認証されている場合（ユーザがログインしている状態で）、ユーザによって画像形成装置１０の設定が行われた場合、設定部３０は、その設定内容を当該ユーザの個人設定内容として扱い、その個人設定内容を示す個人設定情報を当該ユーザのユーザ識別情報に対応付けて個人設定記憶部２４に記憶させる。もちろん、ユーザが認証されている場合に、そのユーザによって共通設定内容が設定されてよい。例えば、ユーザによって設定された設定内容が、ユーザによって個人設定内容として指定された場合、その設定内容を示す個人設定情報が個人設定記憶部２４に記憶され、その設定内容が、ユーザによって共通設定内容として指定された場合、その設定内容を示す共通設定情報が共通設定記憶部２２に記憶される。
【００３５】
判定部３２は、ユーザによって設定された設定内容（ユーザ設定内容）を示すユーザ設定情報が記憶部１８に記憶されているか否かを判定する機能を備えている。具体的には、判定部３２は、共通設定情報が共通設定記憶部２２に記憶されているか否かを判定し、また、認証されたユーザ（ログインユーザ）に対応する個人設定情報が個人設定記憶部２４に記憶されているか否かを判定する機能を備えている。
【００３６】
判定するための情報として、例えば、判定フラグが用いられてもよい。判定フラグは、設定内容の状態を管理するための情報であり、Ｔｒｕｅ（真）又はＦａｌｓｅ（偽）を状態値として保持する。画像形成装置１０の設定内容（設定値）が初期設定内容から変更されている場合、判定フラグはＴｒｕｅに設定され、設定内容が初期設定内容に戻された場合、設定フラグはＦａｌｓｅに設定される。判定部３２は、例えば、共通設定判定フラグを参照し、その状態がＴｒｕｅである場合、共通設定内容が設定されていると判定し、その状態がＦａｌｓｅである場合、共通設定内容が設定されていないと判定する。また、判定部３２は、個人設定判定フラグを参照し、その状態がＴｒｕｅである場合、個人設定内容が設定されていると判定し、その状態はＦａｌｓｅである場合、個人設定内容が設定されていないと判定する。
【００３７】
表示制御部３４は、各種の情報をＵＩ部１６の表示部に表示させる機能を備えている。表示制御部３４は、例えば、メイン画面、各画像形成機能のメニュー画面、各画像形成機能やその他の機能の設定画面、等をＵＩ部１６の表示部に表示させる。
【００３８】
また、表示制御部３４は、画像形成装置１０の設定内容を初期設定内容に戻すための指示をユーザが与えるための指示情報を、ＵＩ部１６に表示させる。例えば、その指示情報の一例としての設定削除項目を含むメニュー群の表示指示がユーザによって与えられた場合、表示制御部３４は、そのメニュー群をＵＩ部１６に表示させる。このとき、表示制御部３４は、上記の判定部３２による判定結果に応じて、そのメニュー群における表示内容を変える。例えば、ユーザ設定情報が記憶部１８に記憶されている場合、つまり、画像形成装置１０の設定内容がユーザによって変更されており、初期設定内容が用いられていない場合、表示制御部３４は、設定削除項目を含むメニュー群をＵＩ部１６に表示させる。一方、ユーザ設定情報が記憶部１８に記憶されていない場合、つまり、画像形成装置１０の設定内容がユーザによって変更されておらず、初期設定内容が用いられている場合、表示制御部３４は、設定削除項目を含まないメニュー群をＵＩ部１６に表示させる。つまり、表示制御部３４は、設定削除項目をＵＩ部１６に表示させない。
【００３９】
表示制御部３４は、認証されたユーザがユーザ設定情報に対する設定権限を有している場合に、設定削除項目をＵＩ部１６に表示させ、ユーザがユーザ設定情報に対する設定権限を有していない場合に、設定削除項目をＵＩ部１６に表示させなくてもよい。
【００４０】
削除処理部３６は、ユーザ設定情報を記憶部１８から削除する機能を備えている。例えば、上記の設定削除項目がユーザによって指定されて削除の指示が与えられた場合、削除処理部３６は、ユーザ設定情報を記憶部１８から削除する。この場合、設定部３０によって、画像形成装置１０の設定内容が初期設定内容に戻される。
【００４１】
以下、画像形成装置１０について更に詳しく説明する。
【００４２】
図２には、各設定内容の関係が示されている。例えば、個人設定内容が設定されている場合、その個人設定内容が利用され、個人設定内容が設定されておらず、共通設定内容が設定されている場合、共通設定内容が利用され、個人設定内容と共通設定内容の両方が設定されていない場合、初期設定内容（例えば出荷時設定内容）が利用される。図２に示す例では、ユーザＡによって個人設定内容Ａが設定されており、ユーザＣによって個人設定内容Ｃが設定されている。それ故、ユーザＡが認証された場合、個人設定内容Ａが利用され、ユーザＣが認証された場合、個人設定内容Ｃが利用される。一方、ユーザＢによって個人設定内容は設定されていない。この場合において、共通設定内容が設定されている場合、その共通設定内容が利用される。
【００４３】
図３には、ＵＩ部１６に表示されるメイン画面の一例が示されている。このメイン画面３８には、例えば、ユーザが各種の指示を与えるためのボタン画像群（例えばアイコン群）が表示されている。例えば、コピー機能に対応するボタン画像がユーザによって押された場合、コピー機能の設定画面等がＵＩ部１６に表示される。このメイン画面３８に表示されている情報は一例に過ぎず、例えば、画像形成装置１０の各種の設定を行うためのボタン画像や情報が表示されてもよい。
【００４４】
また、メイン画面又はそれよりも上位の画面に、ログイン用のボタン画像が表示されていてもよい。ユーザがそのボタン画像を押した場合、ログイン用の画面がＵＩ部１６に表示される。ログイン用画面にて、ユーザが認証情報（例えばユーザＩＤとパスワード）を入力すると、認証部２８によって認証処理が行われる。認証が成功した場合、画像形成装置１０へのログインが許可され、ログインが許可されたユーザは、その許可された権限の範囲内において、画像形成装置１０の利用が許可される。認証が失敗した場合、画像形成装置１０へのログインが禁止され、ログインが禁止されたユーザは、ゲストユーザとして扱われ、そのゲストユーザが有する権限の範囲内において、画像形成装置１０の利用が許可される。画像形成装置１０へのログインが許可された場合において、ログインが許可されユーザに対応する個人設定内容が画像形成装置１０に設定されている場合、その個人設定内容に従った内容のメイン画面がＵＩ部１６に表示されてもよい。
【００４５】
図４には、ＵＩ部１６に表示されるコピー設定画面の一例が示されている。例えば、メイン画面３８においてコピー機能に対応するボタン画像がユーザに押された場合、表示制御部３４は、コピー設定画面４０をＵＩ部１６に表示させる。コピー設定画面４０は、例えば、設定内容表示領域４２を含み、その設定内容表示領域４２内に、コピー機能に関する設定内容を示す情報が表示される。例えば、カラーモード、片面／両面指定、トレイ指定、等が設定内容として表示される。
【００４６】
例えば、ユーザが認証されている場合（ログインが許可された場合）において、そのユーザに対応する個人設定情報が個人設定記憶部２４に記憶されている場合、表示制御部３４は、その個人設定情報が示す個人設定内容（個人設定値）を設定内容表示領域４２に反映させる。例えば、表示制御部３４は、その個人設定内容（例えば、カラーモードの設定内容、片面／両面印刷の設定内容、トレイの番号等）を、設定内容表示領域４２内に表示する。また、表示制御部３４は、その個人設定内容によって指定された表示順に従って、各設定内容の項目（例えば、カラーモードの設定項目、片面／両面印刷の設定項目、指定トレイの設定項目等）を、設定内容表示領域４２内に表示してもよい。
【００４７】
認証されたユーザに対応する個人設定情報が個人設定記憶部２４に記憶されておらず、共通設定情報が共通設定記憶部２２に記憶されている場合、表示制御部３４は、その共通設定情報が示す共通設定内容（共通設定値）を設定内容表示領域４２に反映させる。例えば、表示制御部３４は、その共通設定内容を設定内容表示領域４２内に表示する。また、表示制御部３４は、その共通設定内容によって指定された表示順に従って、各設定内容の項目を設定内容表示領域４２内に表示してもよい。
【００４８】
認証されたユーザに対応する個人設定情報と共通設定情報が記憶部１８に記憶されていない場合、表示制御部３４は、初期設定内容（初期設定値）を設定内容表示領域４２に反映させる。例えば、表示制御部３４は、初期設定内容を設定内容表示領域４２内に表示する。また、表示制御部３４は、初期設定内容によって指定された表示順に従って、各設定内容の項目を設定内容表示領域４２内に表示してもよい。
【００４９】
図４に示す例では、コピー機能に関する設定内容を編集（カスタマイズ）するためのボタン画像４４（設定内容の編集指示を与えるためのボタン画像）が表示されている。ユーザによってボタン画像４４が表示された場合、表示制御部３４は、設定内容の編集等をユーザが指示するためのメニュー群をＵＩ部１６に表示させる。図５には、そのメニュー群の一例が示されている。一例として、メニュー群４６がポップアップ方式によって表示される。もちろん、別の表示方式に従ってメニュー群４６が表示されてもよい。例えば、別の表示画面にメニュー群４６が表示されてもよい。
【００５０】
メニュー群４６には、一例として、画面設定項目４８と、機能設定項目５０と、設定削除項目５２と、が表示されている。画面設定項目４８は、例えば、ユーザが画面の設定を行うための項目であり、この画面設定項目４８がユーザによって押された場合、表示制御部３４は、画面設定を行うための設定画面をＵＩ部１６に表示させる。機能設定項目５０は、例えば、ユーザが画像形成装置１０の機能の設定を行うための項目であり、この機能設定項目５０がユーザによって押された場合、表示制御部３４は、機能の設定を行うための設定画面をＵＩ部１６に表示させる。例えば、コピー機能の設定を行うための設定画面がＵＩ部１６に表示される。設定削除項目５２は、ユーザ設定情報を記憶部１８から削除するための項目であり、この設定削除項目５２がユーザによって押された場合、削除処理部３６は、ユーザ設定情報の削除処理を実行する。
【００５１】
なお、ボタン画像４４や設定削除項目５２がユーザによって押された場合に、表示制御部３４は、ユーザ設定内容（個人設定内容や共通設定内容）をＵＩ部１６に表示させてもよい。
【００５２】
表示制御部３４は、判定部３２による判定結果に応じて、メニュー群４６に表示される項目を変える。以下、表示制御部３４による表示制御について具体例を挙げて詳しく説明する。
【００５３】
（具体例１）
ユーザが認証されていない場合において（ユーザがログインしていない場合において）、共通設定情報が共通設定記憶部２２に記憶されている場合、表示制御部３４は、図５に示すように、設定削除項目５２を含むメニュー群４６をＵＩ部１６に表示させる。この場合において、設定削除項目５２がユーザによって指定されて削除の指示が与えられた場合、削除処理部３６は、共通設定情報を共通設定記憶部２２から削除する。この場合、設定部３０によって、画像形成装置１０の設定内容が、共通設定内容から初期設定内容に戻される。
【００５４】
共通設定情報が共通設定記憶部２２に記憶されていない場合、表示制御部３４は、設定削除項目５２を含まないメニュー群４６をＵＩ部１６に表示させる。例えば、図６に示すように、メニュー群４６がＵＩ部１６に表示された場合であっても、そのメニュー群４６には設定削除項目５２は含まれない。
【００５５】
以上のように、共通設定内容が画像形成装置１０に設定されている場合に設定削除項目５２が表示され、共通設定内容が画像形成装置１０に設定されていない場合に設定削除項目５２は表示されない。それ故、共通設定内容が画像形成装置１０に設定されていないにもかかわらず設定削除項目５２が表示される場合と比べて、ユーザにおいて、共通設定内容が画像形成装置１０に設定されているか否かが分かり易くなる。また、共通設定内容が画像形成装置１０に設定されていない場合には、設定削除項目５２を操作し得ないため、ユーザによる無駄な削除操作の発生が防止される。
【００５６】
（具体例２）
ユーザが認証されている場合において（ユーザがログインしている場合において）、認証されたユーザに対応する個人設定情報（そのユーザのユーザ識別情報に対応付けられた個人設定情報）と共通設定情報の中の少なくとも一方の情報が記憶部１８に記憶されている場合、表示制御部３４は、図５に示すように、設定削除項目５２を含むメニュー群４６をＵＩ部１６に表示させる。例えば、認証されたユーザに対応する個人設定情報と共通設定情報の両方が記憶部１８に記憶されている場合において、設定削除項目５２がユーザによって指定されて削除の指示が与えられた場合、削除処理部３６は、認証されたユーザに対応する個人設定情報と共通設定情報を記憶部１８から削除する。認証されたユーザに対応する個人設定情報が個人設定記憶部２４に記憶されており、共通設定情報が共通設定記憶部２２に記憶されていない場合において、設定削除項目５２がユーザによって指定されて削除の指示が与えられた場合、削除処理部３６は、認証されたユーザに対応する個人設定情報を個人設定記憶部２４から削除する。認証されたユーザに対応する個人設定情報が個人設定記憶部２４に記憶されておらず、共通設定情報が共通設定記憶部２２に記憶されている場合において、設定削除項目５２がユーザによって指定されて削除の指示が与えられた場合、削除処理部３６は、共通設定情報を共通設定記憶部２２から削除する。ユーザ設定情報が削除された場合、設定部３０によって、画像形成装置１０の設定内容が初期設定内容に戻される。
【００５７】
認証されたユーザに対応する個人設定情報と共通設定情報の両方が記憶部１８に記憶されていない場合、表示制御部３４は、図６に示すように、設定削除項目５２を含まないメニュー群４６をＵＩ部１６に表示させる。
【００５８】
以上のように、認証されたユーザに対応する個人設定内容と共通設定内容の中の少なくとも一方の設定内容が画像形成装置１０に設定されている場合、設定削除項目５２が表示され、認証されたユーザに対応する個人設定内容と共通設定内容の両方が画像形成装置１０に設定されていない場合、設定削除項目５２は表示されない。それ故、個人設定内容と共通設定内容のいずれも画像形成装置１０に設定されていないにもかかわらず設定削除項目５２が表示される場合と比べて、ユーザにおいて、ユーザ設定内容が画像形成装置１０に設定されているか否かが分かり易くなる。また、個人設定内容と共通設定内容のいずれも画像形成装置１０に設定されていない場合には、設定削除項目５２を操作し得ないため、ユーザによる無駄な削除操作の発生が防止される。
【００５９】
（具体例３）
ユーザが認証されている場合、表示制御部３４は、個人設定情報の削除をユーザが指示するための個人設定削除項目と、共通設定情報の削除をユーザが指示するための共通設定削除項目と、を区別してＵＩ部１６に表示させてもよい。
【００６０】
例えば、共通設定情報が共通設定記憶部２２に記憶されている場合、表示制御部３４は、図７に示すように、共通設定削除項目５４を含むメニュー群４６をＵＩ部１６に表示させる。共通設定情報が共通設定記憶部２２に記憶されていない場合、表示制御部３４は、共通設定削除項目５４を含まないメニュー群４６をＵＩ部１６に表示させる。つまり、共通設定削除項目５４は表示されない。共通設定削除項目５４がユーザによって指定されて削除の指示が与えられた場合、削除処理部３６は、共通設定情報を共通設定記憶部２２から削除する。このとき、認証されたユーザに対応する個人設定情報が個人設定記憶部２４に記憶されている場合、画像形成装置１０の設定内容として個人設定内容が用いられる。個人設定情報が個人設定記憶部２４に記憶されていない場合、画像形成装置１０の設定内容として初期設定内容が用いられる。
【００６１】
同様に、認証されたユーザに対応する個人設定情報が個人設定記憶部２４に記憶されている場合、表示制御部３４は、図７に示すように、個人設定削除項目５６を含むメニュー群４６をＵＩ部１６に表示させる。個人設定情報が個人設定記憶部２４に記憶されていない場合、表示制御部３４は、個人設定削除項目５６を含まないメニュー群４６をＵＩ部１６に表示させる。つまり、個人設定削除項目５６は表示されない。個人設定削除項目５６がユーザによって指定されて削除の指示が与えられた場合、削除処理部３６は、個人設定情報を個人設定記憶部２４から削除する。このとき、共通設定情報が共通設定記憶部２２に記憶されている場合、画像形成装置１０の設定内容として共通設定内容が用いられる。共通設定情報が共通設定記憶部２２に記憶されていない場合、画像形成装置１０の設定内容として初期設定内容が用いられる。
【００６２】
以上のように、共通設定削除項目５４と個人設定削除項目５６とを区別して表示することにより、共通設定情報と個人設定情報の削除指示が個別的に与えられ、共通設定情報と個人設定情報とがそれぞれ個別的に削除される。また、共通設定内容や個人設定内容が画像形成装置１０に設定されていないにもかかわらず設定削除項目が表示される場合と比べて、ユーザにおいて、共通設定内容と個人設定内容がそれぞれ画像形成装置１０に設定されているか否かが個別的に判断し易くなる。また、共通設定内容と個人設定内容のいずれについても、画像形成装置１０に設定されていない場合には、対応する設定削除項目が操作し得ないため、ユーザによる無駄な削除操作の発生が防止される。
【００６３】
（具体例４）
共通設定情報や個人設定情報等のユーザ設定情報が記憶部１８に記憶されているか否かにかかわらず、表示制御部３４は、図８に示すように、設定削除項目５２を含むメニュー群４６をＵＩ部１６に表示させてもよい。この場合において、ユーザ設定情報が記憶部１８に記憶されていない場合、表示制御部３４は、設定削除項目５２を例えばグレーアウト状態でＵＩ部１６に表示させる。つまり、表示制御部３４は、設定削除項目５２に対するユーザの操作を無効な状態にして設定削除項目５２をＵＩ部１６に表示させる。これより、設定削除項目５２へのユーザの操作が無効となり、設定削除項目５２の指定は受け付けられない。それ故、ユーザが設定削除項目５２を指定した場合であっても、削除処理部３６は削除処理を実行しない。
【００６４】
一方、ユーザ設定情報が記憶部１８に記憶されている場合、表示制御部３４は、図５に示すように、設定削除項目５２を非グレーアウト状態でＵＩ部１６に表示させる。つまり、表示制御部３４は、設定削除項目５２に対するユーザの操作を有効な状態にして設定削除項目５２をＵＩ部１６に表示させる。これより、設定削除項目５２へのユーザの操作が有効となり、設定削除項目５２の指定は受け付けられる。上述したように、ユーザによって設定削除項目５２が指定されて削除の指示が与えられた場合、削除処理部３６は削除処理を実行する。
【００６５】
以上のように、ユーザ設定情報が記憶部１８に記憶されていない場合には、設定削除項目５２がグレーアウト状態で表示されるため、設定削除項目５２が常に同じ表示形態で表示される場合と比べて、ユーザにおいて、ユーザ設定内容が画像形成装置１０に設定されているか否かが分かり易くなる。
【００６６】
また、表示制御部３４は、設定削除項目５２がグレーアウト状態で表示されている理由を示すメッセージをＵＩ部１６に表示させてもよい。例えば、ユーザ設定内容が画像形成装置１０に設定されていない旨を示すメッセージ等が表示されてもよい。
【００６７】
なお、具体例３に具体例４が適用されてもよい。この場合、共通設定内容が画像形成装置１０に設定されている場合、共通設定削除項目５４が非グレーアウト状態で表示され、共通設定内容が画像形成装置１０に設定されていない場合、共通設定削除項目５４がグレーアウト状態で表示される。同様に、個人設定内容が画像形成装置１０に設定されている場合、個人設定削除項目５６が非グレーアウト状態で表示され、個人設定内容が画像形成装置１０に設定されていない場合、個人設定削除項目５６がグレーアウト状態で表示される。
【００６８】
以下、図９を参照して、設定削除項目の表示処理の一例について説明する。図９には、その表示処理を示すフローチャートが示されている。ここでは、上記の具体例１に係る処理について説明する。
【００６９】
まず、ユーザが、ＵＩ部１６を用いて、設定削除項目を含むメニュー群の表示指示を与えた場合、制御部２６は、その表示指示を検知する（Ｓ０１）。例えば、図４に示すように、コピー設定画面４０がＵＩ部１６に表示されている状態で、設定内容を編集するためのボタン画像４４がユーザによって押された場合、制御部２６は、その押下を検知する。
【００７０】
次に、判定部３２は、共通設定情報が共通設定記憶部２２に記憶されているか否かを判定する（Ｓ０２）。
【００７１】
共通設定情報が共通設定記憶部２２に記憶されている場合（Ｓ０３，Ｙｅｓ）、表示制御部３４は、共通設定情報の削除指示をユーザが与えるための設定削除項目を含むメニュー群を準備し（Ｓ０４）、そのメニュー群をＵＩ部１６に表示させる（Ｓ０５）。例えば、図５に示すように、設定削除項目５２を含むメニュー群４６がＵＩ部１６に表示される。
【００７２】
共通設定情報が共通設定記憶部２２に記憶されていない場合（Ｓ０３，Ｎｏ）、表示制御部３４は、設定削除項目を含まないメニュー群をＵＩ部１６に表示させる（Ｓ０５）。例えば、図６に示すように、設定削除項目を含まないメニュー群４６がＵＩ部１６に表示される。
【００７３】
以下、図１０を参照して、設定削除項目の表示処理の別の例について説明する。図１０には、その表示処理を示すフローチャートが示されている。ここでは、上記の具体例２に係る処理について説明する。
【００７４】
一例として、ユーザが画像形成装置１０によって認証されて、画像形成装置１０にログインしている状態であるとする。
【００７５】
まず、ユーザ（ログインユーザ）は、ＵＩ部１６を用いて、設定削除項目を含むメニュー群の表示指示を与えた場合、制御部２６は、その表示指示を検知する（Ｓ１０）。例えば、図４に示すように、コピー設定画面４０がＵＩ部１６に表示されている状態で、設定内容を編集するためのボタン画像４４がユーザによって押された場合、制御部２６は、その押下を検知する。
【００７６】
次に、判定部３２は、共通設定情報が共通設定記憶部２２に記憶されているか否かを判定し（Ｓ１１）、ログインユーザに対応する個人設定情報が個人設定記憶部２４に記憶されているか否かを判定する（Ｓ１２）。
【００７７】
共通設定情報と個人設定情報の中の少なくとも１つが記憶部１８に記憶されている場合（Ｓ１３，Ｙｅｓ）、表示制御部３４は、設定削除項目を含むメニュー群を準備し（Ｓ１４）、そのメニュー群をＵＩ部１６に表示させる（Ｓ１５）。例えば、図５に示すように、設定削除項目５２を含むメニュー群４６がＵＩ部１６に表示される。
【００７８】
共通設定情報と個人設定情報のいずれも記憶部１８に記憶されていない場合（Ｓ１３，Ｎｏ）、表示制御部３４は、設定削除項目を含まないメニュー群をＵＩ部１６に表示させる（Ｓ１５）。例えば、図６に示すように、設定削除項目を含まないメニュー群４６がＵＩ部１６に表示される。
【００７９】
第１実施形態において、表示制御部３４は、ユーザ設定情報に対するユーザの設定権限の有無に応じて、設定削除項目の表示を制御してもよい。設定権限は、画像形成装置１０の設定内容を編集（カスタマイズ）するための権限であり、また、ユーザ設定情報を削除する権限を含む。設定権限を有するユーザは、画像形成装置１０の設定内容の編集が許可され、設定権限を有していないユーザは、設定内容の編集が禁止される。例えば、認証されたユーザは、自身用の個人設定内容を設定する権限が与えられる。つまり、認証されたユーザは、画像形成装置１０の設定内容を編集して自身用の個人設定内容を作成し編集することが許可される。また、認証されたユーザは、共通設定内容を設定する権限が与えられてもよい。つまり、認証されたユーザは、画像形成装置１０の設定内容を編集して共通設定内容を作成し編集することが許可されてもよい。認証されたすべてのユーザに対して、共通設定内容の設定権限が与えられてもよいし、認証されたすべてのユーザの中から選択されたユーザに対して、共通設定内容の設定権限が与えられてもよい。また、画像形成装置１０の管理権限を有する管理者に対して、共通設定内容の設定権限が与えられ、管理権限を有していないユーザに対しては、共通設定内容の設定権限が与えられなくてもよい。
【００８０】
設定権限と設定内容の状態は、管理テーブルを用いて管理されてもよい。図１１には、その管理テーブルの一例が示されている。例えば、ユーザが認証された場合、制御部２６は、そのユーザが設定権限を有しているか否かを確認する。例えば、ユーザ毎に、ユーザ識別情報と、設定権限の有無を示す情報と、が対応付けられており、その対応付けを示す情報が記憶部１８に記憶されている。制御部２６は、その対応付けを参照することにより、認証されたユーザが有する設定権限を確認し、その確認結果を管理テーブルに反映する。
【００８１】
例えば、認証されたユーザが共通設定内容の設定権限を有している場合、管理テーブルにおいて、共通設定内容の設定権限が「有り」に設定され、認証されたユーザが共通設定内容の設定権限を有していない場合、管理テーブルにおいて、共通設定内容の設定権限が「無し」に設定される。同様に、認証されたユーザが個人設定内容の設定権限を有している場合、管理テーブルにおいて、個人設定内容の設定権限が「有り」に設定され、認証されたユーザが個人設定内容の設定権限を有していない場合、管理テーブルにおいて、個人設定内容の設定権限が「無し」に設定される。図１１に示す例では、認証されたユーザは、共通設定内容と個人設定内容の両方の設定権限を有している。
【００８２】
また、共通設定内容が設定された場合、つまり、画像形成装置１０の設定内容が共通設定内容として変更された場合、共通設定内容の設定の有無は「有り」に設定される。その設定内容が初期設定内容に戻された場合、共通設定内容の設定の有無は「無し」に設定される。同様に、個人設定内容が設定された場合、つまり、画像形成装置１０の設定内容が個人設定内内容として変更された場合、個人設定内容の設定の有無は「有り」に設定される。その設定内容が初期設定内容に戻された場合、個人設定内容の設定の有無は「無し」に設定される。図１１に示す例では、共通設定内容が設定されており、個人設定内容は設定されていない。
【００８３】
例えば、図１０に示す表示処理において、制御部２６は、認証されたユーザが有する設定権限を確認する。認証されたユーザが、共通設定内容の設定権限と個人設定内容の設定権限のいずれも有していない場合、表示制御部３４は、設定削除項目をＵＩ部１６に表示させない。
【００８４】
認証されたユーザが、共通設定内容の設定権限と個人設定内容の設定権限の両方を有している場合において、共通設定内容と個人設定内容の中の少なくとも一方が設定されている場合、表示制御部３４は、設定削除項目をＵＩ部１６に表示させる。
【００８５】
認証されたユーザが、共通設定内容の設定権限又は個人設定内容の設定権限のいずれかを有している場合において、認証されたユーザが有している設定権限に対応する設定内容が設定されている場合、表示制御部３４は、設定削除項目をＵＩ部１６に表示させる。例えば、認証されたユーザが共通設定内容の設定権限を有しており、共通設定内容が設定されている場合、表示制御部３４は、設定削除項目をＵＩ部１６に表示させる。同様に、認証されたユーザが個人設定内容の設定権限を有しており、そのユーザに対応する個人設定内容が設定されている場合、表示制御部３４は、設定削除項目をＵＩ部１６に表示させる。一方、認証されたユーザが共通設定内容の設定権限を有しているが、共通設定内容が設定されていない場合、表示制御部３４は、設定削除項目をＵＩ部１６に表示させない。同様に、認証されたユーザが個人設定内容の設定権限を有しているが、そのユーザに対応する個人設定内容が設定されていない場合、表示制御部３４は、設定削除項目をＵＩ部１６に表示させない。
【００８６】
なお、図１０に示す例では、ユーザがメニュー群の表示指示を与えた後に、ユーザ設定情報の有無や設定権限の有無が確認されているが、その表示指示が与えられる前に、ユーザ設定情報の有無や設定権限の有無が確認されてもよい。例えば、ユーザの認証処理が実行された際に、その確認が行われてもよい。
【００８７】
以上のように、第１実施形態によると、ユーザ設定内容が画像形成装置１０に設定されていないにもかかわらず設定削除項目が表示される場合と比べて、ユーザにおいて、ユーザ設定内容が画像形成装置１０に設定されているか否かが分かり易くなる。また、ユーザにより無駄な削除操作の発生が防止される。
【００８８】
また、第１実施形態では、管理者が画像形成装置１０にログインした場合と、管理者以外のユーザが画像形成装置１０にログインした場合とで、メニュー群４６の表示態様や表示制御を変えずに、ユーザ設定内容の削除に関する処理が行われてもよい。
【００８９】
なお、第１実施形態では、コピー機能を設定するためのコピー設定画面４０を例に挙げて、設定削除項目５２の表示制御について説明したが、画像形成装置１０の他の機能を設定する場合においても同様の処理が行われ、ユーザ設定情報の有無に応じて、設定削除項目５２の表示が制御される。
【００９０】
［第２実施形態］
以下、第２実施形態について説明する。第２実施形態に係る画像形成装置は、上述した第１実施形態に係る画像形成装置１０と同じ構成を含む。第２実施形態では、削除処理部３６は、共通設定内容と個人設定内容の有無、つまり、記憶部１８に記憶されている共通設定情報と個人設定情報の有無に応じて、異なる削除処理を行う。
【００９１】
削除処理部３６は、例えば、共通設定内容と個人設定内容の有無に応じて、削除処理に含まれる処理として、事前確認処理及び事後報告処理の中の少なくとも１つの処理を実行する。事前確認処理では、削除処理部３６は、ユーザ設定情報（共通設定情報や個人設定情報）を削除する前に警告情報をＵＩ部１６に表示させ、その後、ユーザによって削除指示が与えられた場合にユーザ設定情報を削除する。事後報告処理では、削除処理部３６は、設定削除項目５２がユーザによって押された場合にユーザ設定情報を削除し、その削除の後に、ユーザ設定情報が削除された旨を示す報告情報をＵＩ部１６に表示させる。
【００９２】
第２実施形態では、第１実施形態に係る処理が適用されてもよいし、第１実施形態に係る処理が適用されなくてもよい。第１実施形態が適用される場合、ユーザ設定情報（共通設定情報や個人設定情報）が記憶部１８に記憶されているときに、上記の設定削除項目５２がＵＩ部１６に表示され、ユーザ設定情報が記憶部１８に記憶されていないときに、設定削除項目５２はＵＩ部１６に表示されない。第１実施形態が適用されない場合、ユーザ設定情報が記憶部１８に記憶されているか否かにかかわらず、設定削除項目５２がＵＩ部１６に表示され、設定削除項目５２がユーザによって押される状態となる。
【００９３】
以下、図１２を参照して、設定削除項目５２がユーザによって押された後の削除処理について詳しく説明する。図１２には、その削除処理を示すフローチャートが示されている。
【００９４】
まず、ユーザがＵＩ部１６を用いてユーザ設定情報の削除指示を与えた場合、制御部２６は、その削除指示を検知する（Ｓ２０）。例えば、図５に示すように、設定削除項目５２を含むメニュー群４６がＵＩ部１６に表示されている状態で、設定削除項目５２がユーザによって押された場合、制御部２６は、その押下を検知する。
【００９５】
次に、判定部３２は、共通設定情報が共通設定記憶部２２に記憶されているか否かを判定し（Ｓ２１）、ログインユーザに対応する個人設定情報が個人設定記憶部２４に記憶されているか否かを判定する（Ｓ２２）。
【００９６】
共通設定情報のみが記憶されている場合、つまり、共通設定情報が共通設定記憶部２２に記憶されており、ログインユーザに対応する個人設定情報が個人設定記憶部２４に記憶されていない場合（Ｓ２３，Ｙｅｓ）、削除処理部３６は、共通設定削除処理を実行する（Ｓ２４）。共通設定削除処理については後で詳しく説明する。
【００９７】
共通設定情報のみが記憶されているわけではない場合（Ｓ２３，Ｎｏ）、処理はステップＳ２５に移行する。この場合において、ログインユーザに対応する個人設定情報のみが記憶されている場合、つまり、共通設定情報が共通設定記憶部２２に記憶されておらず、ログインユーザに対応する個人設定情報が個人設定記憶部２４に記憶されている場合（Ｓ２５，Ｙｅｓ）、削除処理部３６は、個人設定削除処理を実行する（Ｓ２６）。個人設定削除処理については後で詳しく説明する。
【００９８】
ログインユーザに対応する個人設定情報のみが記憶されているわけではない場合（Ｓ２５，Ｎｏ）、処理はステップＳ２７に移行する。この場合において、ログインユーザに対応する個人設定情報と共通設定情報の両方が記憶されている場合、つまり、共通設定情報が共通設定記憶部２２に記憶されており、かつ、個人設定情報が個人設定記憶部２４に記憶されている場合（Ｓ２７，Ｙｅｓ）、削除処理部３６は、共通個人設定削除処理を実行する（Ｓ２８）。共通個人設定削除処理については後で詳しく説明する。
【００９９】
第１実施形態が適用されていない場合、つまり、ユーザ設定情報（共通設定情報や個人設定情報）が記憶部１８に記憶されているか否かにかかわらず、設定削除項目５２がＵＩ部１６に表示されている場合において、設定削除項目５２がユーザによって押され、ログインユーザに対応する個人設定情報と共通設定情報の両方が記憶部１８に記憶されていない場合（Ｓ２７，Ｎｏ）、削除処理部３６は、ユーザ設定内容が画像形成装置１０に設定されていない旨を示す情報をＵＩ部１６に表示させる（Ｓ２９）。
【０１００】
第１実施形態が適用されている場合において、ログインユーザに対応する個人設定情報と共通設定情報の両方が記憶部１８に記憶されていない場合、設定削除項目５２はＵＩ部１６に表示されない。この場合、ユーザによって設定削除項目５２が押されて削除指示が与えられることはないため、上記のステップＳ２０〜Ｓ２９の処理は実行されず、ユーザ設定内容が画像形成装置１０に設定されていない旨を示す情報はＵＩ部１６に表示されない。ログインユーザに対応する個人設定情報と共通設定情報の中の少なくとも１つの情報が記憶部１８に記憶されている場合、記憶部１８に記憶されている情報に応じて、削除処理部３６は、共通設定削除処理（Ｓ２４）、個人設定削除処理（Ｓ２６）、又は、共通個人設定削除処理（Ｓ２８）のいずれかの処理を実行する。
【０１０１】
以下、図１３を参照して、共通設定削除処理について詳しく説明する。図１３には、共通設定削除処理を示すフローチャートが示されている。
【０１０２】
共通設定削除処理では、削除処理部３６は、事前確認処理として、確認画面をＵＩ部１６に表示させる（Ｓ３０）。確認画面は、共通設定情報を本当に削除してもよいか否かをユーザが確認するための画面である。例えば、図１４に示されている確認画面５８が、ＵＩ部１６に表示される。確認画面５８には、警告情報としてのメッセージが表示される。確認画面５８上にて、共通設定情報の削除の指示、又は、削除のキャンセルの指示が、ユーザによって与えられるようになっている。確認画面５８に表示された「ＯＫ」ボタン画像を押すことで、共通設定情報の削除指示が与えられ、「キャンセル」ボタン画像を押すことで、削除のキャンセル指示が与えられる。ユーザが「ＯＫ」ボタン画像を押した場合、つまり、ユーザが削除指示を与えた場合（Ｓ３１，Ｙｅｓ）、削除処理部３６は、共通設定情報を共通設定記憶部２２から削除する（Ｓ３２）。この場合、画像形成装置１０の設定内容は初期設定内容に戻る。ユーザが「キャンセル」ボタン画像を押した場合、つまり、ユーザが削除指示を与えない場合（Ｓ３１，Ｎｏ）、削除処理部３６は、共通設定情報を削除せずに処理を終了させる。確認画面５８が表示された時点から予め設定された時間が経過した場合、削除処理部３６は、共通設定情報を削除せずに処理を終了させてもよい。
【０１０３】
削除処理部３６は、事前確認処理を行わずに事後報告処理を行ってもよい。この場合、設定削除項目５２がユーザによって押されると、削除処理部３６は、確認画面５８をＵＩ部１６に表示させずに、共通設定情報を共通設定記憶部２２から削除する。その削除の後、削除処理部３６は、共通設定情報が削除された旨を示す報告情報（例えばメッセージ）をＵＩ部１６に表示させる。もちろん、削除処理部３６は、事前確認処理と事後報告処理の両方を行ってもよい。この場合、設定削除項目５２がユーザによって押されると、削除処理部３６は、確認画面５８をＵＩ部１６に表示させる。その確認画面５８上でユーザによって削除指示が与えられた場合、削除処理部３６は、共通設定情報を共通設定記憶部２２から削除し、その後、共通設定情報が削除された旨を示す報告情報をＵＩ部１６に表示させる。
【０１０４】
以下、図１５を参照して、個人設定削除処理について詳しく説明する。図１５には、個人設定削除処理を示すフローチャートが示されている。
【０１０５】
個人設定削除処理では、削除処理部３６は、事前確認処理として、確認画面をＵＩ部１６に表示させる（Ｓ４０）。確認画面は、個人設定情報を本当に削除してもよいか否かをユーザが確認するための画面である。例えば、共通設定削除処理と同様に、図１４に示されている確認画面５８が、ＵＩ部１６に表示される。その確認画面５８上でユーザが「ＯＫ」ボタンを押した場合、つまり、ユーザが削除指示を与えた場合（Ｓ４１，Ｙｅｓ）、削除処理部３６は、個人設定情報を個人設定記憶部２４から削除する（Ｓ４２）。この場合、画像形成装置１０の設定内容は初期設定内容に戻る。ユーザが「キャンセル」ボタンを押した場合、つまり、ユーザが削除指示を与えない場合（Ｓ４１，Ｎｏ）、削除処理部３６は、個人設定情報を削除せずに処理を終了させる。確認画面５８が表示された時点から予め設定された時間が経過した場合、削除処理部３６は、個人設定情報を削除せずに処理を終了させてもよい。
【０１０６】
個人設定削除処理においても、共通設定削除処理と同様に、削除処理部３６は、事前確認処理を行わずに事後報告処理を行ってもよい。この場合、設定削除項目５２がユーザによって押されると、削除処理部３６は、確認画面５８をＵＩ部１６に表示させずに、個人設定情報を個人設定記憶部２４から削除する。この削除の後、削除処理部３６は、個人設定情報が削除された旨を示す報告情報（例えばメッセージ）をＵＩ部１６に表示させる。もちろん、削除処理部３６は、事前確認処理と事後報告処理の両方を行ってもよい。この場合、設定削除項目５２がユーザによって押されると、削除処理部３６は、確認画面５８をＵＩ部１６に表示させる。その確認画面５８上でユーザによって削除指示が与えられた場合、削除処理部３６は、個人設定情報を個人設定記憶部２４から削除し、その後、個人設定情報が削除された旨を示す報告情報をＵＩ部１６に表示させる。
【０１０７】
以下、図１６を参照して、共通個人設定削除処理について詳しく説明する。図１６には、共通個人設定削除処理を示すフローチャートが示されている。
【０１０８】
共通個人設定削除処理では、削除処理部３６は、事前確認処理として、確認画面をＵＩ部１６に表示させる（Ｓ５０）。確認画面は、共通設定情報や個人設定情報を本当に削除してもよいか否かをユーザが確認するための画面である。例えば、図１７に示されている確認画面６０が、ＵＩ部１６に表示される。確認画面６０には、警告情報としてのメッセージが表示される。確認画面６０上にて、共通設定情報と個人設定情報とを個別的に削除するための指示がユーザによって与えられるようになっている。確認画面６０に表示された共通設定削除ボタン画像６２を押すことで、共通設定情報の削除指示が与えられ、個人設定削除ボタン画像６４を押すことで、個人設定情報の削除指示が与えられ、キャンセルボタン画像を押すことで、削除のキャンセル指示が与えられる。ユーザが共通設定削除ボタン画像６２を押した場合、つまり、ユーザが共通設定情報の削除指示を与えた場合（Ｓ５１，Ｙｅｓ）、削除処理部３６は、共通設定情報を共通設定記憶部２２から削除する（Ｓ５２）。この場合、画像形成装置１０の設定内容として個人設定内容が用いられる。ユーザが共通設定削除ボタン画像６２を押さずに（Ｓ５１，Ｎｏ）、個人設定削除ボタン画像６４を押した場合、つまり、ユーザが個人設定情報の削除指示を与えた場合（Ｓ５３，Ｙｅｓ）、削除処理部３６は、個人設定情報を個人設定記憶部２４から削除する（Ｓ５４）。この場合、画像形成装置１０の設定内容として共通設定内容が用いられる。共通設定削除ボタン画像６２と個人設定削除ボタン画像６４の両方が押されない場合（Ｓ５３，Ｎｏ）、削除処理部３６は、処理を終了させる。例えば、キャンセルボタン画像がユーザによって押された場合、処理は終了する。確認画面６０が表示された時点から予め設定された時間が経過した場合、削除処理部３６は、共通設定情報と個人設定情報を削除せずに処理を終了させてもよい。
【０１０９】
もちろん、確認画面６０上で、共通設定削除ボタン画像６２と個人設定削除ボタン画像６４の両方がユーザによって押されてもよい。この場合、削除処理部３６は、共通設定情報を共通設定記憶部２２から削除し、個人設定情報を個人設定記憶部２４から削除する。画像形成装置１０の設定内容として初期設定内容が利用される。
【０１１０】
削除処理部３６は、事前確認処理と事後報告処理を行ってもよい。この場合、設定削除項目５２がユーザによって押されると、削除処理部３６は、確認画面６０をＵＩ部１６に表示させる。その確認画面６０上でユーザによって共通設定情報又は個人設定情報の削除指示が与えられた場合、削除処理部３６は、削除対象の共通設定情報又は個人設定情報を削除し、その後、共通設定情報又は個人設定情報が削除された旨を示す報告情報をＵＩ部１６に表示させる。
【０１１１】
第２実施形態においても、第１実施形態と同様に、ユーザ設定情報に対するユーザの設定権限が管理されてもよい。その設定権限とユーザ設定情報の設定内容の状態は、第１実施形態と同様に、図１１に示されている管理テーブルによって管理されてもよい。管理テーブルを用いた管理処理は、第１実施形態に係る管理処理と同じであるため、ここでは説明を省略する。
【０１１２】
制御部２６は、認証されたユーザ（ログインユーザ）が有する設定権限を確認する。認証されたユーザが、共通設定内容の設定権限と個人設定内容の設定権限のいずれも有していない場合において、設定削除項目５２がユーザによって押された場合、削除処理部３６は、ユーザ設定内容が画像形成装置１０に設定されていない旨を示す情報をＵＩ部１６に表示させる。もちろん、第１実施形態が適用されている場合において、認証されたユーザに対応する個人設定情報と共通設定情報の両方が記憶部１８に記憶されていない場合、設定削除項目５２自体がＵＩ部１６に表示されない。
【０１１３】
認証されたユーザが、共通設定内容の設定権限と個人設定内容の設定権限の両方を有しており、かつ、認証されたユーザに対応する個人設定情報と共通設定情報の両方が記憶部１８に記憶されている場合において、設定削除項目５２がユーザによって押された場合、削除処理部３６は、図１７に示されている確認画面６０をＵＩ部１６に表示させる。つまり、共通設定情報と個人設定情報とを個別的に削除するための指示をユーザが与えるための確認画面６０が、ＵＩ部１６に表示される。
【０１１４】
認証されたユーザが、共通設定内容の設定権限又は個人設定内容の設定権限のいずれかを有しており、かつ、認証されたユーザが有している設定権限に対応する設定内容が設定されている場合において、設定削除項目５２がユーザによって押された場合、削除処理部３６は、図１４に示されている確認画面５８をＵＩ部１６に表示させる。つまり、共通設定情報又は個人設定情報を削除するための指示をユーザが与えるための確認画面５８が、ＵＩ部１６に表示される。例えば、認証されたユーザが共通設定内容の設定権限を有しており、共通設定内容が画像形成装置１０に設定されている場合、削除処理部３６は、確認画面５８をＵＩ部１６に表示させる。同様に、認証されたユーザが個人設定内容の設定権限を有しており、そのユーザに対応する個人設定内容が画像形成装置１０に設定されている場合、削除処理部３６は、確認画面５８をＵＩ部１６に表示させる。一方、認証されたユーザが共通設定内容の設定権限を有しているが、共通設定内容が画像形成装置１０に設定されていない場合、削除処理部３６は、ユーザ設定内容が画像形成装置１０に設定されていない旨を示す情報をＵＩ部１６に表示させる。同様に、認証されたユーザが個人設定内容の設定権限を有しているが、そのユーザに対応する個人設定内容が画像形成装置１０に設定されていない場合、削除処理部３６は、ユーザ設定内容が画像形成装置１０に設定されていない旨を示す情報をＵＩ部１６に表示させる。
【０１１５】
認証されたユーザが、共通設定内容の設定権限と個人設定内容の設定権限の両方を有している場合において、設定削除項目５２がユーザによって押された場合、削除処理部３６は、画像形成装置１０に設定されているユーザ設定情報に対するユーザの操作を有効な状態にし、画像形成装置１０に設定されていないユーザ設定情報に対するユーザの操作を無効な状態にして、確認画面６０をＵＩ部１６に表示させてもよい。
【０１１６】
例えば、削除処理部３６は、図１８に示されている確認画面６０をＵＩ部１６に表示させる。共通設定内容が画像形成装置１０に設定されていない場合、つまり、共通設定情報が共通設定記憶部２２に記憶されていない場合、削除処理部３６は、共通設定削除ボタン画像６２を例えばグレーアウト状態でＵＩ部１６に表示させる。つまり、削除処理部３６は、共通設定削除ボタン画像６２に対するユーザの操作を無効な状態にして共通設定削除ボタン画像６２をＵＩ部１６に表示させる。これにより、共通設定削除ボタン画像６２へのユーザの操作が無効となり、共通設定削除ボタン画像６２の指定は受け付けられない。それ故、ユーザが共通設定削除ボタン画像６２を指定した場合であっても、削除処理部３６は、共通設定情報の削除処理を実行しない。共通設定内容が画像形成装置１０に設定されている場合、削除処理部３６は、共通設定削除ボタン画像６２に対するユーザの操作を有効な状態にして、共通設定削除ボタン画像６２をＵＩ部１６に表示させる。これにより、共通設定削除ボタン画像６２へのユーザの操作が有効となり、共通設定削除ボタン画像６２の指定が受け付けられる。以上のように、共通設定内容が画像形成装置１０に設定されていない場合に、共通設定削除ボタン画像６２がグレーアウト状態で表示されるため、共通設定削除ボタン画像６２が常に同じ表示形態で表示される場合と比べて、ユーザにおいて、共通設定内容が画像形成装置１０に設定されているか否かが分かり易くなる。
【０１１７】
同様に、個人設定内容が画像形成装置１０に設定されていない場合、つまり、個人設定情報が個人設定記憶部２４に記憶されていない場合、削除処理部３６は、個人設定削除ボタン画像６４を例えばグレーアウト状態でＵＩ部１６に表示させる。これにより、個人設定削除ボタン画像６４へのユーザの操作が無効となり、個人設定削除ボタン画像６４の指定は受け付けられない。それ故、ユーザが個人設定削除ボタン画像６４を指定した場合であっても、削除処理部３６は、個人設定情報の削除処理を実行しない。認証されたユーザに対応する個人設定内容が画像形成装置１０に設定されている場合、削除処理部３６は、個人設定削除ボタン画像６４に対するユーザの操作を有効な状態にして、個人設定削除ボタン画像６４をＵＩ部１６に表示させる。これにより、個人設定削除ボタン画像６４へのユーザの操作が有効となり、個人設定削除ボタン画像６４の指定が受け付けられる。以上のように、個人設定内容が画像形成装置１０に設定されていない場合に、個人設定削除ボタン画像６４がグレーアウト状態で表示されるため、個人設定削除ボタン画像６４が常に同じ表示形態で表示される場合と比べて、ユーザにおいて、個人設定内容が画像形成装置１０に設定されているか否かが分かり易くなる。
【０１１８】
別の例として、削除処理部３６は、確認画面６０をＵＩ部１６に表示させ、認証されたユーザが設定権限を有しているユーザ設定情報に対するユーザの操作を有効な状態にし、認証されたユーザが設定権限を有していないユーザ設定情報に対するユーザの操作を無効な状態にして、確認画面６０をＵＩ部１６に表示させてもよい。
【０１１９】
例えば、削除処理部３６は、図１８に示されている確認画面６０をＵＩ部１６に表示させる。認証されたユーザが共通設定内容の設定権限を有していない場合、削除処理部３６は、共通設定削除ボタン画像６２を例えばグレーアウト状態でＵＩ部１６に表示させる。つまり、削除処理部３６は、共通設定削除ボタン画像６２に対するユーザの操作を無効な状態にして共通設定削除ボタン画像６２をＵＩ部１６に表示させる。認証されたユーザが共通設定内容の設定権限を有している場合、削除処理部３６は、共通設定削除ボタン画像６２に対するユーザの操作を有効な状態にして、共通設定削除ボタン画像６２をＵＩ部１６に表示させる。以上のように、ユーザが共通設定内容の設定権限を有していない場合に、共通設定削除ボタン画像６２がグレーアウト状態で表示されるため、共通設定削除ボタン画像６２が常に同じ表示形態で表示される場合と比べて、ユーザにおいて、ユーザが共通設定内容の設定権限を有しているか否かが分かり易くなる。
【０１２０】
同様に、認証されたユーザが個人設定内容の設定権限を有していない場合、削除処理部３６は、個人設定削除ボタン画像６４を例えばグレーアウト状態でＵＩ部１６に表示させる。つまり、削除処理部３６は、個人設定削除ボタン画像６４に対するユーザの操作を無効な状態にして個人設定削除ボタン画像６４をＵＩ部１６に表示させる。認証されたユーザが個人設定内容の設定権限を有している場合、削除処理部３６は、個人設定削除ボタン画像６４に対するユーザの操作を有効な状態にして、個人設定削除ボタン画像６４をＵＩ部１６に表示させる。以上のように、ユーザが個人設定内容の設定権限を有していない場合に、個人設定削除ボタン画像６４がグレーアウト状態で表示されるため、個人設定削除ボタン画像６４が常に同じ表示形態で表示される場合と比べて、ユーザにおいて、ユーザが個人設定内容の設定権限を有しているか否かが分かり易くなる。
【０１２１】
別の例として、削除処理部３６は、認証されたユーザが共通設定内容の設定権限を有している場合、共通設定削除ボタン画像６２をＵＩ部１６に表示させ、認証されたユーザが共通設定内容の設定権限を有していない場合、共通設定削除ボタン画像６２をＵＩ部１６に表示させなくてもよい。同様に、削除処理部３６は、認証されたユーザが個人設定内容の削除権限を有している場合、個人設定削除ボタン画像６４をＵＩ部１６に表示させ、認証されたユーザが個人設定内容の設定権限を有していない場合、個人設定削除ボタン画像６４をＵＩ部１６に表示させなくてもよい。
【０１２２】
別の例として、ユーザが設定権限を有しているか否かにかかわらず、削除処理部３６は、確認画面６０をＵＩ部１６に表示させ、画像形成装置１０に設定されているユーザ設定内容（共通設定内容、個人設定内容）に対するユーザの操作を有効にし、画像形成装置１０に設定されていないユーザ設定内容に対するユーザの操作を無効にしてもよい。例えば、共通設定内容が画像形成装置１０に設定されていない場合、つまり、共通設定情報が共通設定記憶部２２に記憶されていない場合、削除処理部３６は、共通設定削除ボタン画像６２をグレーアウト状態でＵＩ部１６に表示させる。共通設定内容が画像形成装置１０に設定されている場合、つまり、共通設定情報が共通設定記憶部２２に記憶されている場合、削除処理部３６は、共通設定削除ボタン画像６２を非グレーアウト状態でＵＩ部１６に表示させる。同様に、個人設定内容が画像形成装置１０に設定されていない場合、つまり、個人設定情報が個人設定記憶部２４に記憶されていない場合、削除処理部３６は、個人設定削除ボタン画像６４をグレーアウト状態でＵＩ部１６に表示させる。個人設定内容が画像形成装置１０に設定されている場合、つまり、個人設定情報が個人設定記憶部２４に記憶されている場合、削除処理部３６は、個人設定削除ボタン画像６４を非グレーアウト状態でＵＩ部１６に表示させる。
【０１２３】
以上のように、第２実施形態によると、共通設定内容と個人設定内容の設定の有無に応じて、異なる削除処理が実行される。例えば、共通設定内容又は個人設定内容が設定されている場合には、その設定内容を削除するための確認画面が表示され、共通設定内容と個人設定内容が設定されている場合には、それらを個別的に削除するための確認画面が表示される。これにより、ユーザ設定内容を一律に削除する場合と比べて、ユーザ設定内容に適した削除処理が行われる。
【０１２４】
上記の第１及び第２実施形態において、画像形成装置１０と外部装置とを含む画像形成システムが構築されてもよい。外部装置は、例えば、パーソナルコンピュータ（ＰＣ）、タブレットＰＣ、スマートフォン、携帯電話、等の装置であり、他の装置との間でデータを送受信する機能を備えている。画像形成装置１０と端末装置は、ネットワーク等の通信経路を介して互いに通信を行う。この場合、端末装置を用いて画像形成装置１０が操作されてもよい。例えば、端末装置に、画像形成装置１０の画面等（例えば、上記の設定画面、メニュー群４６、確認画面５８，６０等）が表示されて、端末装置を用いて、画像形成装置１０の設定内容の編集や削除されてもよい。
【０１２５】
上記の画像形成装置１０は、一例としてハードウェアとソフトウェアとの協働により実現される。具体的には、画像形成装置１０は、図示しないＣＰＵ等の１又は複数のプロセッサを備えている。当該１又は複数のプロセッサが、図示しない記憶装置に記憶されたプログラムを読み出して実行することにより、画像形成装置１０の各部の機能が実現される。上記プログラムは、ＣＤやＤＶＤ等の記録媒体を経由して、又は、ネットワーク等の通信経路を経由して、記憶装置に記憶される。別の例として、画像形成装置１０の各部は、例えばプロセッサや電子回路やＡＳＩＣ（Application Specific Integrated Circuit）等のハードウェア資源により実現されてもよい。その実現においてメモリ等のデバイスが利用されてもよい。別の例として、画像形成装置１０の各部は、ＤＳＰ（Digital Signal Processor）やＦＰＧＡ（Field Programmable Gate Array）等によって実現されてもよい。
【符号の説明】
【０１２６】
１０  画像形成装置、１８  記憶部、２０  初期設定記憶部、２２  共通設定記憶部、２４  個人設定記憶部、２６  制御部、２８  認証部、３０  設定部、３２  判定部、３４  表示制御部、３６  削除処理部。
【図１】
2018073222.tif 000003
【図２】
2018073222.tif 000004
【図３】
2018073222.tif 000005
【図４】
2018073222.tif 000006
【図５】
2018073222.tif 000007
【図６】
2018073222.tif 000008
【図７】
2018073222.tif 000009
【図８】
2018073222.tif 000010
【図９】
2018073222.tif 000011
【図１０】
2018073222.tif 000012
【図１１】
2018073222.tif 000013
【図１２】
2018073222.tif 000014
【図１３】
2018073222.tif 000015
【図１４】
2018073222.tif 000016
【図１５】
2018073222.tif 000017
【図１６】
2018073222.tif 000018
【図１７】
2018073222.tif 000019
【図１８】
2018073222.tif 000020